(57)【要約】  本発明は、シェービング装置（１）に使用される毛切断ユニット（７ａ）に関する。毛切断ユニットは、毛入口開口（３１）を有するシェービング面（２９）を有する外側切断部材（２１ａ）と、外側切断部材に対して回転軸（４１）周りに回転可能であり且つ複数の毛切断要素（３５）を有する内側切断部材（２３ａ）とを有する。毛切断ユニットは、さらに、外側切断部材を取り囲む皮膚接触面（４３）を有する支持部材（２５ａ）と、結合構造（５３、５５）によって支持部材に解放可能に結合可能であり且つ毛切断ユニットの組み立てられた状態において支持部材に対して動作位置に外側切断部材を保持するように構成された保持コンポーネント（２７ａ）とを有する。組み立てられた状態では、外側切断部材の保持される要素（３３）は、保持コンポーネントの第１の保持部材（６９）と支持部材の第２の保持部材（７９）との間に、少なくとも回転軸に平行な軸方向に保持される。前記組み立てられた状態且つ皮膚接触面に対するシェービング面の平行な向きにおいて、シェービング面は、皮膚接触面に対して軸方向に露出距離（Ｅ）にわたって突出する。結合構造は、支持部材に設けられた第１の案内部材（５３）と、保持コンポーネントに設けられた第２の案内部材（５５）とを有する。第１の案内部材及び第２の案内部材は、保持コンポーネントが支持部材に対する回転軸周りの第１の角度位置と第２の角度位置との間の任意の角度位置にあるときに相互に係合し、保持コンポーネントの第２の角度位置において毛切断ユニットの組み立てられた状態を確立するように構成される。本発明によれば、第１及び第２の案内部材は、第１及び第２の案内部材が保持コンポーネントの第１の角度位置で相互に係合するとき、外側切断部材の保持される要素が、第１及び第２の保持部材の間で回転軸に平行に少なくとも露出距離に等しい距離（Ｄ）にわたって移動可能であるようにさらに構成される。
2021504072.tif 000002
【特許請求の範囲】
【請求項１】
シェービング装置に使用される毛切断ユニットであって、前記毛切断ユニットは：
−  毛入口開口を持つシェービング面を有する外側切断部材と；
−  前記外側切断部材に対して回転軸周りに回転可能であり且つ複数の毛切断要素を有する内側切断部材と；
−  前記外側切断部材を取り囲む皮膚接触面を有する支持部材と；
−  結合構造によって前記支持部材に解放可能に結合可能であり且つ前記毛切断ユニットの組み立てられた状態において前記支持部材に対して前記外側切断部材を動作可能な位置に保持するように構成される保持コンポーネントと；
を有し、
前記組み立てられた状態において：
−  前記外側切断部材の保持される要素が、前記保持コンポーネントの第１の保持部材と前記支持部材の第２の保持部材との間に少なくとも前記回転軸に平行な軸方向に保持され；
−  前記皮膚接触面に対する前記シェービング面の平行な向きにおいて、前記シェービング面は、前記皮膚接触面に対して前記軸方向に露出距離にわたって突出し；
前記結合構造は、前記支持部材に設けられた第１の案内部材と、前記保持コンポーネントに設けられた第２の案内部材とを有し、前記第１の案内部材及び前記第２の案内部材は：
−  前記保持コンポーネントが、前記支持部材に対する前記回転軸周りの第１の角度位置と第２の角度位置との間の任意の角度位置にあるとき、相互に係合し、前記第１の角度位置と前記第２の角度位置とは相互に異なり；
−  前記保持コンポーネントの前記第２の角度位置において前記組み立てられた状態を確立する；
ように構成され、
前記第１の案内部材及び前記第２の案内部材は、前記第１の案内部材及び前記第２の案内部材が前記保持コンポーネントの前記第１の角度位置で相互に係合するとき、前記外側切断部材の前記保持される要素が、前記第１の保持部材と前記第２の保持部材との間で前記回転軸に平行に少なくとも前記露出距離に等しい距離にわたって移動可能であるように構成される、
毛切断ユニット。
【請求項２】
前記第２の案内部材は、前記組み立てられた状態で、前記回転軸に関する接線方向に対して斜めに延びる案内面を有し、前記第１の案内部材は、前記案内面に係合する当接要素を有する、
請求項１に記載の毛切断ユニット。
【請求項３】
前記当接要素は、前記組み立てられた状態で、前記第２の案内部材の前記案内面と協働するために前記接線方向に対して斜めに延びる追加の案内面を有する、
請求項２に記載の毛切断ユニット。
【請求項４】
前記案内面は、前記第１の角度位置と前記第２の角度位置との間の角度距離の少なくとも１５％に等しい前記回転軸周りの角度距離にわたって斜めに延びる、
請求項２又は３に記載の毛切断ユニット。
【請求項５】
前記案内面は、前記回転軸に関する接線断面で見て平らである、
請求項２乃至４のいずれか１項に記載の毛切断ユニット。
【請求項６】
−  前記保持コンポーネントは、主として環状のベース部を有し；
−  前記支持部材は、前記外側切断部材を収容するための主として円筒形の受容部材を有し；
−  前記第２の案内部材は、前記ベース部の２つの径方向に対向する周方向部分に設けられるとともに、各々が前記組み立てられた状態で前記接線方向に対して斜めに延びる案内面を有する、２つの案内要素を有し；
−  前記第１の案内部材は、前記２つの案内要素のそれぞれの案内要素の前記案内面と係合するために前記受容部材の内壁上の径方向に対向する位置に設けられた２つの当接要素を有する；
請求項２乃至５のいずれか１項に記載の毛切断ユニット。
【請求項７】
前記保持される要素は、前記外側切断部材の周方向フランジである、
請求項１乃至６のいずれか１項に記載の毛切断ユニット。
【請求項８】
−  前記第１の保持部材は、前記組み立てられた状態で、前記外側切断部材の前記保持される要素に面する前記環状のベース部の面に設けられた複数の当接面を有し；
−  前記第２の保持部材は、前記受容部材の前記内壁上の径方向に対向する位置に設けられた２つの支持要素を有し、各前記支持要素は、前記軸方向に見て前記２つの当接要素のそれぞれの当接要素に隣接して位置する、
請求項６又は７に記載の毛切断ユニット。
【請求項９】
前記第１及び前記第２の案内部材は、前記保持コンポーネントを前記支持部材に対して前記回転軸周りに前記第２の角度位置、即ち、前記組み立てられた状態から、前記第１の角度位置に、３６０°より小さい前記第１の角度位置と前記第２の角度位置との間に存在する前記回転軸周りの角度距離にわたって手動で回転させることによって生じる前記保持コンポーネントの前記第１の角度位置において前記第１及び前記第２の案内部材が相互に係合するとき、前記外側切断部材の前記保持される要素は、前記第１の保持部材と前記第２の保持部材の間で前記回転軸と平行に少なくとも前記露出距離に等しい前記距離にわたって移動可能であるように構成される、
請求項１乃至８のいずれか１項に記載の毛切断ユニット。
【請求項１０】
少なくとも２つの毛切断ユニットと、前記少なくとも２つの毛切断ユニットを支持する支持コンポーネントとを有するシェービングユニットであって、各前記毛切断ユニットは、請求項１乃至９のいずれか１項に記載の毛切断ユニットである、シェービングユニット。
【請求項１１】
前記各毛切断ユニットの前記支持部材は、前記支持コンポーネントによって枢動可能に支持される、
請求項１０に記載のシェービングユニット。
【請求項１２】
シェービングヘッドであって：
−  前記シェービングヘッドをシェービング装置の本体に解放可能に結合するように構成された結合部材を含むベース構造と；
−  前記ベース構造に解放可能に結合可能であるシェービングユニットと；を有し、
前記シェービングユニットは、請求項１０又は１１に記載のシェービングユニットである、
シェービングヘッド。
【請求項１３】
−  アクチュエータを収容する本体と；
−  前記アクチュエータによって駆動されるように前記本体に解放可能に結合可能なシェービングヘッドと；を有し、
前記シェービングヘッドは、請求項１２に記載のシェービングヘッドである、
シェービング装置。
【発明の詳細な説明】
【技術分野】
【０００１】
本発明は、シェービング装置に使用される毛切断ユニットであって、前記毛切断ユニットは、毛入口開口を持つシェービング面を有する外側切断部材と、外側切断部材に対して回転軸周りに回転可能であり且つ複数の毛切断要素を有する内側切断部材と、外側切断部材を取り囲む皮膚接触面を有する支持部材と、結合構造によって支持部材に解放可能に結合可能であり且つ毛切断ユニットの組み立てられた状態において外側切断部材を支持部材に対して動作可能な位置に保持するように構成される保持コンポーネントとを有し、組み立てられた状態において外側切断部材の保持される要素が、保持コンポーネントの第１の保持部材と支持部材の第２の保持部材との間に、少なくとも回転軸に平行な軸方向に保持され、組み立てられた状態且つ皮膚接触面に対するシェービング面の平行な向きにおいて、シェービング面は、皮膚接触面に対して軸方向に露出距離にわたって突出し、結合構造は、支持部材に設けられた第１の案内部材と、保持コンポーネントに設けられた第２の案内部材とを有し、第１の案内部材及び第２の案内部材は、保持コンポーネントが、支持部材に対する回転軸周りの第１の角度位置と第２の角度位置との間の任意の角度位置にあるとき、相互に係合し、第１の角度位置と第２の角度位置とは相互に異なり、保持コンポーネントの第２の角度位置において組み立てられた状態を確立するように構成される、毛切断ユニットに関する。
【０００２】
本発明は、さらに、冒頭の段落に記載されたタイプの少なくとも２つの毛切断ユニットと、少なくとも２つの毛切断ユニットを支持する支持コンポーネントとを有するシェービングユニットに関する。
【０００３】
本発明はさらに、シェービングヘッドをシェービング装置の本体に解放可能に結合するように構成された結合部材を含むベース構造と、ベース構造に解放可能に結合可能である前述のタイプのシェービングユニットとを有するシェービングヘッドに関する。
【０００４】
本発明は、さらに、アクチュエータを収容する本体と、アクチュエータによって駆動されるように本体に解放可能に結合可能な前述のタイプのシェービングヘッドとを有するシェービング装置に関する。
【背景技術】
【０００５】
冒頭の段落で述べたタイプの毛切断ユニット、シェービングユニット、シェービングヘッド及びシェービング装置が特許文献１から知られている。既知のシェービングユニットは、３つの毛切断ユニットを有する。各毛切断ユニットの支持部材は、シェービングユニットの支持コンポーネントによってピボット（枢動）可能に（pivotally）支持されている。各毛切断ユニットの保持コンポーネントは、主に環状のベース部を有する。各毛切断ユニットの第２の案内部材は、保持コンポーネントのベース部の２つの径方向に対向する周方向部分に配置された２つの支点ピンを有する。各毛切断ユニットの支持部材は、切断ユニットの外側切断部材を収容するための主に円筒形受容部材を有する。各毛切断ユニットの第１の案内部材は、支持部材の円筒形受容部材の内壁上に径方向に対向する位置に設けられた２つの凹部を有する。既知のシェービングユニットの組み立てられた状態では、各保持コンポーネントの２つの支点ピンは、各々、保持コンポーネントが支持部材にピボット可能に結合されるように、これら２つの凹部のそれぞれに受容される。各毛切断ユニットの第２の保持部材は、円筒形受容部材の内壁上に設けられた内側リム上の２つの径方向に対向する位置に設けられた２つの小さい支持面を有し、各支持面は、内壁上の２つの凹部のそれぞれに隣接している。組み立てられた状態では、外側切断部材の保持される要素を形成する外側切断部材の周方向フランジが、これら２つの支持面と環状の当接面との間に保持され、毛切断ユニットの第１の保持部材を形成し、前記フランジに面する保持コンポーネントの環状ベース部の面に設けられる。これにより、外側切断部材は、保持コンポーネントと合わせて支持部材に対して枢動可能であり、外側切断部材の枢動軸は、円筒形受容部材の内壁上の２つの小さい支持面の位置によって規定される。ユーザは、関連する内側切断部材の回転軸周りに予め規定された方向に各保持コンポーネントを手動で回転させることによって、この既知のシェービングユニットを分解することができ、それによって、２つの支点ピンが凹部から解放される。次のステップとして、ユーザは、保持コンポーネント並びに内部及び外側切断部材を支持部材から引き続いて取り外して、例えば、それらを洗浄することができる。洗浄後、ユーザは、支持部材内の外部及び内側切断部材を交換し、保持コンポーネントを支持部材に結合することによって、すなわち、支持部材に対して保持コンポーネントを第１の角度位置から第２の角度位置へ内側切断部材の回転軸周りに手動で回転させることにより支点ピンを凹部に挿入することによって、支持部材に対するそれらの動作位置にそれらを保持することができる。
【０００６】
既知のシェービングユニット及び既知の毛切断ユニットの欠点は、シェービングユニットを前述の方法で組み立てることができるようにするために、特に、保持コンポーネントを支持部材に結合することができるようにするために、外側切断部材は、支持部材に対して動作位置になければならないことであり、外側切断部材のシェービング面は、シェービングユニットの通常の動作中に存在する露出距離にわたって、支持部材の皮膚接触面に対して突出する。シェービングユニットの組み立て中に外側切断部材のこれらの突出位置を達成するために、ユーザは、支持部材が周囲の物品と接触しない状態でシェービングユニットの支持コンポーネントを片手で上下逆の位置に保持しなければならない。同時に、ユーザは、保持コンポーネントを他方の手で支持部材に１つずつ結合しなければならない。これはユーザにとって都合が悪い。例えば、既知のシェービングユニットを組み立てることは、毛切断ユニットの支持部材がテーブル上面のような平坦な表面上に上下逆に位置する状態から開始することは不可能である。なぜなら、このような状態では、外側切断部材が支持部材に対して突出することがなく、その結果、保持コンポーネント上に設けられた支点ピンが、保持コンポーネントの第１の角度位置において支持部材に設けられた凹部と係合することができないからである。
【０００７】
特許文献２は、乾式シェービング装置の切断ヘッドを開示している。切断ヘッドは、半径方向スリットを備えた切断プレートと、回転可能な切断部材とを有する。切断プレートはナットによって装置のケーシングに固定される。切断プレートのフランジは、ケーシングのフランジとナットのフランジとの間に保持される。
【先行技術文献】
【特許文献】
【０００８】
【特許文献１】国際公開第２０１５／１６９６２５号
【特許文献２】米国特許第２,５６５,８２８号
【発明の概要】
【０００９】
本発明の目的は、既知の毛切断ユニット及び既知のシェービングユニットの欠点を持たない、冒頭の段落に記載されたタイプの毛切断ユニット及びシェービングユニットを提供することである。具体的には、本発明の目的は、毛切断ユニットの支持部材が平坦面上に上下逆の位置にある状態から始まって、ユーザが組み立てることができる、冒頭の段落に記載されたタイプの毛切断ユニット及びシェービングユニットを提供することである。
【００１０】
この目的を達成するために、本発明によれば、冒頭の段落に記載されたタイプの毛切断ユニットは、第１の案内部材及び第２の案内部材が保持コンポーネントの第１の角度位置で相互に係合するとき、外側切断部材の保持される要素が第１の保持部材と第２の保持部材との間で回転軸に平行に少なくとも露出距離に等しい距離にわたって移動可能であるように第１の案内部材及び第２の案内部材が構成されることを特徴とする。
【００１１】
この目的を達成するために、本発明によれば、冒頭の段落に記載されたタイプのシェービングユニットは、その中で使用される各切断ユニットが本発明に係る切断ユニットであることを特徴とする。
【００１２】
本発明による毛切断ユニットを組み立てるためには、既知の毛切断ユニットと同様に、ユーザは、まず、外側切断部材及び内側切断部材を支持部材内に配置しなければならない。続いて、既知の毛切断ユニットと同様に、ユーザは、保持コンポーネントを内側切断部材の回転軸周りに支持部材に対して第１の角度位置から第２の角度位置まで手動で回転させることによって、保持コンポーネントを支持部材に結合しなければならない。このようにして保持コンポーネントを回転させることによって、結合構造の第１及び第２の案内部材は相互に係合する。既知の毛切断ユニットと同様に、第１の案内部材及び第２の案内部材は、保持コンポーネントの第２の角度位置において、外側切断部材の保持される要素が保持コンポーネントの第１の保持部材と支持部材の第２の保持部材との間で軸方向に保持されるように構成され、その結果、外側切断部材は、そのシェービング面が支持部材の皮膚接触面に対して突出する状態でその動作位置にあるようになっている。本発明によれば、結合構造の第１及び第２の案内部材は、第１及び第２の案内部材が保持コンポーネントの第１の角度位置で、即ち保持コンポーネントを支持部材に結合するステップの初期段階において、相互に係合するとき、外側切断部材の保持される要素が、第１の保持部材と第２の保持部材との間で回転軸に平行に、外側切断部材が動作位置にあるときのシェービング面の露出距離と少なくとも等しい距離にわたって、移動可能であるように構成される。その結果、結合ステップの前記初期段階の間に、支持部材が平坦な表面上に上下逆に位置し、その結果、外側切断部材が支持部材の皮膚接触面に対して完全に引っ込んだ位置にある場合に、第１及び第２の案内部材は、保持コンポーネントが第１の角度位置に移動されるときに、相互に係合することができる。その後、保持コンポーネントを第１の角度位置から第２の角度位置に回転させることによって、第１及び第２の案内部材は、保持コンポーネントを支持部材に対して軸方向に支持部材の皮膚接触面に向かって案内し、その結果、外側切断部材は、保持コンポーネントによって支持部材に対してその最初の引っ込んだ位置からその動作位置へ移動される。このように、本発明の毛切断ユニットと、このような毛切断ユニットを備える本発明のシェービングユニットとは、支持部材が上下逆さまに位置する位置から初めて、外側切断部材が引っ込んだ状態で、前記平面から毛切断ユニット及びシェービングユニットを持ち上げることなく、ユーザが組み立てることができる。ユーザは、保持コンポーネントを支持部材に結合する間に、毛切断ユニット及びシェービングユニットを平坦面に接触する位置で保持することができるので、これは、ユーザにとって非常に便利である。
【００１３】
このように、保持コンポーネントを支持部材に結合するステップの前記初期段階から始めて、本発明による毛切断ユニットの組み立てられた状態は、保持コンポーネントを支持部材に対して回転軸周りに第１の角度位置から第２の角度位置へ、第１の角度位置と第２の角度位置の間に存在する回転軸周りの３６０°より小さい角度距離にわたって、手動で回転させることによって達成される。従って、第１及び第２の案内部材は、保持コンポーネントを支持部材に対して回転軸周りに第２の角度位置、即ち、組み立てられた状態から、第１の角度位置に、３６０°より小さい第１の角度位置と第２の角度位置との間に存在する回転軸周りの前記角度距離にわたって手動で回転させることによって生じる保持コンポーネントの第１の角度位置において第１及び第２の案内部材が相互に係合するとき、外側切断部材の保持される要素は、第１の保持部材と第２の保持部材の間で回転軸と平行に少なくとも露出距離に等しい前記距離にわたって移動可能であるように構成される。
【００１４】
本発明による毛切断ユニットの一実施形態では、第２の案内部材は、組み立てられた状態で、回転軸に関する接線方向（a  tangential  direction  relative  to  the  axis  of  rotation）に対して斜めに延びる案内面を有し、第１の案内部材は、案内面に係合する当接要素（abutment  element）を有する。案内面及び当接要素は、結合構造の堅牢且つ単純な構造を提供する。当接要素は、組み立てられた状態で、第２の案内部材の案内面と協働するために接線方向に対して斜めに延びる追加の案内面を有し得る。代替実施形態では、第１の案内部材は、案内面を有し、第２の案内部材は、当接要素を有し得る。この代替実施形態では、当接要素は、追加の案内面を有し得る。さらなる代替実施形態では、第１及び第２の案内部材はそれぞれ、組み立てられた状態で、回転軸に関する接線方向に対して斜めに延びる案内面を有し、第１及び第２の案内部材の案内面は、相互に協働するように構成される。
【００１５】
本発明による毛切断ユニットのさらなる実施形態では、案内面は、第１の角度位置と第２の角度位置との間の角度距離の少なくとも１５％に等しい回転軸周りの角度距離にわたって斜めに延びる。その結果、第１の角度位置から第２の角度位置に保持コンポーネントを回転させ、毛切断ユニットの組み立て状態を確立するために、ユーザが保持コンポーネントに対して回転軸周りに作用させる必要のあるトルクが制限される。好ましくは、案内面は、回転軸に関する接線断面（tangential  cross-section）で見て平ら（plain）である。
【００１６】
本発明による毛切断ユニットの好ましい実施形態では、保持コンポーネントは、主として環状のベース部を有し、支持部材は、外側切断部材を収容するための主として円筒形の受容部材を有し、第２の案内部材は、ベース部の２つの径方向に対向する周方向部分（circumferential  portions）に設けられるとともに、各々が、組み立てられた状態で、接線方向に対して斜めに延びる案内面を有する２つの案内要素を有し、第１の案内部材は、２つの案内要素のそれぞれのうちの１つの案内面と係合するために、受容部材の内壁上の径方向に対向する位置に設けられた２つの当接要素を有する。２つの当接要素及び２つの斜めに延びる案内面を有するこの実施形態は、結合構造の堅牢且つ単純な構造を提供する。代替的には、第２の案内部材は、２より多い斜めに延在する案内面を有し得るとともに、第１の案内部材は、２より多い案内面と係合するための２より多い当接部材を有し得る。例えば、第２の案内部材は、回転軸周りに１２０°の間隔で相互に配置されたベース部の３つの周方向部分上に設けられた３つの案内面を有し得るとともに、第１の案内部材は、回転軸周りに１２０°の間隔で相互に配置された受容部材の内壁に設けられた３つの当接要素を有し得る。
【００１７】
本発明による毛切断ユニットのさらなる実施形態では、保持される要素は、外側切断部材の周方向フランジである。
【００１８】
本発明による毛切断ユニットのさらに別の実施形態では、第１の保持部材は、組み立てられた状態で、外側切断部材の保持される要素に面する環状のベース部の面（side）に設けられた複数の当接面を有し、第２の保持部材は、受容部材の内壁上の径方向に対向する位置に設けられた２つの支持要素を有し、各支持要素は、軸方向に見て２つの当接要素のそれぞれ１つに隣接して位置する。この実施形態では、組み立てられた状態で保持コンポーネントによる外側切断部材の安定した支持を提供するために、第１の保持部材は、好ましくは、少なくとも３つの当接面を有し、これらの当接面は、保持コンポーネントの環状ベース部の前記面に規則的に分布している。代替的には、環状のベース部の前記面は、回転軸周りに３６０°にわたって延びる単一の環状当接面を有し得る。このさらなる実施形態では、組み立てられた状態では、外側切断部材の保持される要素は、支持部材上に設けられた前記２つの支持要素と、保持コンポーネント上に設けられた前記複数の当接面との間に保持される。前記２つの支持要素は、前記複数の当接面と合わせて、枢動構造を提供し、それによって外側切断部材は支持部材に対して保持部材と共に枢動可能である。前記枢動構造の枢動軸の位置は、支持部材に対する２つの支持要素の位置によって規定される。
【００１９】
本発明によるシェービングユニットの一実施形態では、各毛切断ユニットの支持部材は、支持部材によって枢動可能に支持されている。この実施形態では、シェービングユニットの毛切断ユニットは、シェービングユニットの支持コンポーネントに対して個々に且つ独立に枢動可能であり、その結果、毛切断ユニットの向きは、毛切断ユニットに接触する皮膚の局所的輪郭に個々に適合することができる。
【００２０】
さらに、本発明によれば、冒頭の段落に記載されたタイプのシェービングヘッドは、その中で使用されるシェービングユニットが、前述の本発明によるシェービングユニットであることを特徴とする。
【００２１】
さらに、本発明によれば、冒頭の段落で述べたタイプのシェービング装置は、そこで使用されるシェービングヘッドが、前述の本発明によるシェービングヘッドであることを特徴とする。
【図面の簡単な説明】
【００２２】
発明をより良く理解し、それをどのように実施することができるかをより明確に示すために、添付図面を、単なる例として参照する。
【００２３】
【図１】本発明によるシェービング装置の一実施形態を示す。
【図２】図１のシェービング装置に用いられ、本発明によるシェービングユニットを有する、本発明によるシェービングヘッドの一実施形態を示す。
【図３】主要部品が分解された状態である図２のシェービングユニットに用いられる本発明による毛切断ユニットの一実施形態を示す。
【図４】図３の毛切断ユニットの保持コンポーネントを示す。
【図５】支持部材に対する第１の角度位置の保持コンポーネントを有する図３の毛切断ユニットを概略的に示す。
【図６ａ】第１の角度位置、第１の角度位置と第２の角度位置との間の中間の角度位置、及び第２の角度位置にそれぞれある保持コンポーネントを有する図５に示す毛切断ユニットを概略的に示す。
【図６ｂ】第１の角度位置、第１の角度位置と第２の角度位置との間の中間の角度位置、及び第２の角度位置にそれぞれある保持コンポーネントを有する図５に示す毛切断ユニットを概略的に示す。
【図６ｃ】第１の角度位置、第１の角度位置と第２の角度位置との間の中間の角度位置、及び第２の角度位置にそれぞれある保持コンポーネントを有する図５に示す毛切断ユニットを概略的に示す。
【発明を実施するための形態】
【００２４】
図１は、本発明によるシェービング装置１の一実施形態を示す。シェービング装置１は、本体３と本発明に係よるシェービングヘッド５とを有する。本体３は、図１には見えないアクチュエータ、例えば電気モータを収容する。シェービングヘッド５は、本体３に取り外し可能に結合可能であり、本発明による３つの毛切断ユニット７ａ、７ｂ、７ｃを有する。シェービングヘッド５は本体３に結合されている図１に示す状態では、シェービング装置１がユーザによって作動されるとき、毛切断ユニット７ａ、７ｂ、７ｃはアクチュエータによって駆動されることができる。
【００２５】
シェービングヘッド５は、図２により詳細に示されている。シェービングヘッド５は、ベース構造９と本発明によるシェービングユニット１１とを有する。ベース構造９は、シェービングヘッド５をシェービング装置１の本体３に解放可能に結合するように構成された結合部材１３を有する。結合部材１３は、図２にのみ概略的に示されており、本体３に設けられた協働スナップコネクタ（co-operating  snap  connector）と係合するための機械式スナップコネクタを有し得る。このようなスナップコネクタは当業者によく知られている。シェービングユニット１１は、シェービングヘッド５のベース構造９に解放可能に結合可能である。図１は、シェービングユニット１１がベース構造９に結合された組み立てられた状態でのシェービングヘッド５を示す。図２は、シェービングユニット１１がベース構造９から分離された状態でのシェービングヘッド５を示す。ベース構造９及びシェービングユニット１１は、シェービングユニット１１をベース構造９に解放可能に結合するための、図２には示されていない任意の適切な協働結合要素、例えば、当業者にはよく知られている協働機械式スナップコネクタを備え得る。
【００２６】
図２にさらに示されるように、ベース構造９は、３つの回転可能な駆動スピンドル１５ａ、１５ｂ、１５ｃを有し、それぞれは、シェービングユニット１１がベース構造９に結合されるとき、３つの毛切断ユニット７ａ、７ｂ、７ｃのそれぞれ１つを回転可能に駆動するためのものである。駆動スピンドル１５ａ、１５ｂ、１５ｃは、シェービングヘッド５が本体３に結合されるとき、ベース構造９に配置され、図２には見えない適切な伝達機構を介して、本体３のアクチュエータによって駆動することができる。ベース構造９は、さらに、シェービングユニット１１がベース構造９に結合されるとき、切断ユニット７ａ、７ｂ、７ｃによって切断された毛を収集するための３つの毛収集チャンバ１７ａ、１７ｂ、１７ｃを有する。
【００２７】
シェービングユニット１１は、支持コンポーネント１９を有し、さらに、図２に示すように、シェービングユニット１１の組み立てられた状態で、支持コンポーネント１９によって支持される３つの毛切断ユニット７ａ、７ｂ、７ｃを有する。代替実施形態では、本発明によるシェービングユニットは、異なる数の毛切断ユニット、例えば、２つの毛切断ユニット又は３つより多い毛切断ユニットを有し得る。図１及び図２に示すように、支持コンポーネント１９は、３つの開口部を備えた支持フレームであり、以下に詳細に説明するように、毛切断ユニット７ａ、７ｂ、７ｃが配置され支持されている。また、支持コンポーネント１９は、シェービングヘッド５のベース構造９へのシェービングユニット１１の解放可能な結合のための結合要素を有する。
【００２８】
図３は、シェービングユニット１１の３つの毛切断ユニット７ａのうちの１つであり、毛切断ユニット７ａの主要部、すなわち外側切断部材２１ａ、内側切断部材２３ａ、支持部材２５ａ、保持コンポーネント２７ａが、相互に分解された状態で示されている。毛切断ユニット７ｂ及び７ｃは、それぞれ、毛切断ユニット７ａと同様であり、したがって、各々は、外側切断部材２１ａ、内側切断部材２３ａ、支持部材２５ａ及び保持コンポーネント２７ａとそれぞれ同様である、外側切断部材２１ｂ、２１ｃ（図１）、内側切断部材、支持部材２５ｂ、２５ｃ（図１）、保持コンポーネント２７ｂ、２７ｃ（図２）を有する。
【００２９】
外側切断部材２１ａは、概して、図１に見え、図３に部分的に見える環状外側シェービング面２９を有する円筒形キャップの形態であり、複数の毛入口開口３１が設けられている。外側切断部材２１ａは、シェービング面２９から離れたキャップの面に設けられた周方向フランジ３３をさらに有する。
【００３０】
内側切断部材２３ａは、内側切断部材２３ａの担持部材３７上に環状構成で設けられた複数の毛切断要素３５を有する。担持部材３７は、シェービングヘッド５の組み立てられた状態で関連する駆動スピンドル１５ａを受け入れるための中央結合キャビティ３９を有する。前記組み立てられた状態では、内側切断部材２３ａは、駆動スピンドル１５ａによって、回転軸４１周りに外側切断部材２１ａに対して回転可能である。内側切断部材２３ａの外側切断部材２１ａに対する回転中、外側切断部材２１ａの毛入口開口３１を貫通する毛は、内側切断部材２３ａの毛切断要素３５に設けられた切断エッジと、外側切断部材２１ａの毛入口開口３１の側壁に設けられたカウンタ（counter）切断エッジとの間の相互作用によって切断される。
【００３１】
支持部材２５ａは、図１に示すように、シェービングユニット１１の組み立てられた状態で外側切断部材２１ａを取り囲む、図１に見ることができ、図３に部分的に見ることができる皮膚接触面４３を有する。支持部材２５ａは、さらに、図３に示すように、主に円筒形の受容部材４５を有する。シェービングユニット１１の組み立て状態では、受容部材４５は、外側切断部材２１ａに配置された内側切断部材２３ａと共に外側切断部材２１ａを収容し、外側切断部材２１ａ及び内側切断部材２３ａは、以下に詳細に記載される方法で保持コンポーネント２７ａによって支持部材２５ａに対して動作位置に保持される。
【００３２】
支持部材２５ａは、シェービングユニット１１の支持コンポーネント１９によって枢動可能に支持されている。この目的のために、支持部材２５ａは、２つの枢動部材４７を有し、これらの枢動部材は、回転軸４１に関して２つの径方向に対向する位置で支持部材２５ａ上に配置される。２つの枢動部材４７は、図面では見えない、２つの協働する枢動部材に係合し、これらの枢動部材は、毛切断ユニット７ａが配置される支持コンポーネント１９の開口部付近に設けられる。枢動部材４７によって、シェービングユニット１１の組み立てられた状態では、支持部材２５ａは、支持コンポーネント１９上に設けられた２つの協働枢動部材の位置によって規定される主ピボット軸４９周りに、外側切断部材２１ａ及び内側切断部材２３ａと共に、支持コンポーネント１９に対して枢動する。他の支持部材２５ｂ、２５ｃは支持部材２５ａと同様であるため、各支持部材２５ａ、２５ｂ、２５ｃは、支持部材２５ａ、２５ｂ、２５ｃのいずれか他のものとは独立して、支持コンポーネント１９に対して個別に枢動する。したがって、シェービングユニット１１が湾曲した皮膚表面上で使用される場合、支持コンポーネント１９に対する毛切断ユニット７ａ、７ｂ、７ｃの向きは、毛切断ユニット７ａ、７ｂ、７ｃが皮膚との最適な接触を維持するように、局所的な皮膚輪郭に個別に適合することができる。
【００３３】
図示されていない本発明によるシェービングユニットの代替実施形態では、支持部材２５ａ、２５ｂ、２５ｃは、支持コンポーネント１９に対して枢動せず、各々、支持コンポーネント１９に対して固定位置に取り付けられる又は支持コンポーネント１９と一体的に形成される。このような代替実施形態では、支持部材２５ａ、２５ｂ、２５ｃは、外側切断部材２１ａ、２１ｂ、２１ｃが配置される支持コンポーネント１９内の開口部を取り囲む支持コンポーネント１９のリム部分を単に構成してもよく、毛切断ユニット７ａ、７ｂ、７ｃの外側切断部材及び内側切断部材は、保持コンポーネント２７ａ、２７ｂ、２７ｃによって、前記リム部分に対してそれらの動作位置に保持されてもよい。
【００３４】
保持コンポーネント２７ａは、図４に詳細に示され、主として環状のベース部５１を有する。ベース部５１は、以下に詳細に説明され、支持部材２５ａに設けられた第１の案内部材５３（図３）及び保持コンポーネント２７ａに設けられた第２の案内部材５５（図４）を有する、結合構造によって支持部材２５ａに解放可能に結合可能である。ベース部５１は、毛切断ユニット７ａの組み立てられた状態で、保持コンポーネント２７ａが結合構造を用いて支持部材２５ａに結合されるとき、支持部材２５ａに対する動作位置に外側切断部材２１ａを保持するように構成される。
【００３５】
図３に示すように、第１の案内部材５３は、回転軸４１に関して２つの径方向に対向する位置で支持部材２５ａの受容部材４５の内壁上に設けられた２つの当接要素５７を有する。図３において、一方の当接要素５７のみが完全に視認可能であり、他方の当接要素は部分的にのみ視認可能である。図４に示すように、第２の案内部材５５は、回転軸４１に関して２つの径方向に対向する位置で保持コンポーネント２７ａのベース部５１の２つの周方向部分に設けられた２つの案内要素５９を有する。図４では、１つの案内要素５９のみが視認可能である。案内要素５９は、各々、毛切断ユニット７ａの組み立てられた状態で回転軸４１に関する接線方向に対して斜めに延びる第１の案内面６１と、第１の案内面６１に接続し（meets）且つ、前記組み立てられた状態で、回転軸４１に対して垂直な仮想平面内に延びる第２の案内面６３とを有する。２つの当接要素５７は、以下に詳細に説明するように、第１及び第２の案内面６１、６３と係合するように配置される。
【００３６】
図３に示す分解状態から始めて毛切断ユニット７ａ、７ｂ、７ｃを組み立てるために、ユーザはまず、支持部材２５ａ、２５ｂ、２５ｃを支持コンポーネント１９に枢動可能に取り付けた状態でテーブル上面などの平坦面上に上下逆さの位置に、すなわち支持部材２５ａ、２５ｂ、２５ｃの皮膚接触面４３が前記平坦面と接触する状態で、シェービングユニット１１の支持コンポーネント１９を配置し得る。以下の説明から明らかなように、シェービングユニット１１は毛切断ユニット７ａ、７ｂ、７ｃの組み立て中にこの位置に留まり得、これはユーザにとって都合がよい。したがって、組立の間、ユーザは、支持部材２５ａ、２５ｂ、２５ｃが前記平坦面に接触したままであるように、一方の手で支持コンポーネント１９を保持し、一方、ユーザは、引き続いて、毛切断ユニット７ａ、７ｂ、７ｃを他方の手で組み立てることができ、これは、毛切断ユニット７ａについて以下に詳細に説明する。
【００３７】
毛切断ユニット７ａの組立は図５及び図６ａ〜６ｃに示され、図６ａ〜６ｃは、テーブル上面６５を概略的に示し、その上に、皮膚接触面４３を有する支持部材２５ａが、最初に上下逆さの位置に配置される。毛切断ユニット７ａを組み立てるために、ユーザはまず、複数の毛切断要素３５が、毛入口開口３１を有する外側切断部材２１ａの環状シェービングトラックに接触するように、内側切断部材２３ａを外側切断部材２１ａ内に配置しなければならない。続いて、ユーザは、外側切断部材２１ａを、内側切断部材２３ａがその中に配置された状態で、支持部材２５ａの受容部材４５内に配置しなければならない。これにより、外側切断部材２１ａは、図６ａに概略的に示すように、外側切断部材２１ａの外側シェービング面２９が、最初にテーブル上面６５によって支持されるので、支持部材２５ａの皮膚接触面４３に対して最初の完全に引っ込んだ（recessed）位置になる。
【００３８】
続いて、ユーザは、保持コンポーネント２７ａを、外側切断部材２１ａの頂部に受容部材４５内に配置しなければならない。これにより、毛切断ユニット７ａの組み立てられた状態で、外側切断部材２１ａに面する保持コンポーネント２７ａの環状のベース部５１の面６７が、外側切断部材２１ａの周方向フランジ３３に当接することになる。この面６７は、フランジ３３と完全に接触し得る、すなわち、回転軸４１周りに３６０°にわたって接触し得る。しかし、本実施形態では、３つの突出した当接面６９が前記面６７に設けられ、これらは回転軸４１に関して１２０°の角度間隔で配置され、各々はフランジ３３に当接する。図４では、１つの当接面６９のみが見える。
【００３９】
上述したように、保持コンポーネント２７ａを受容部材４５内に配置した後、外側切断部材２１ａ、支持部材２５ａ及び保持コンポーネント２７ａは、図５に示すように回転軸４１に関して軸方向に相互に所定の位置にある。内側切断部材２３ａは図５には示されていない。図５は、支持部材２５ａの第１の案内部材５３の当接要素５７のうちの１つを概略的に示す。図５はさらに、保持コンポーネント２７ａの第２の案内部材５５の案内要素５９のうちの１つを概略的に示す。図５において、保持コンポーネント２７ａは、支持部材２５ａに対して回転軸４１周りの第１の予め規定された角度位置で示されている。保持コンポーネント２７ａのこの第１の角度位置において、当接要素５７は、外側切断部材２１ａが支持部材２５ａの皮膚接触面４３に対して最初の完全に引っ込んだ位置にあるときに、案内要素５９の第１の斜め案内面６１の端部７１に係合する。保持コンポーネント２７ａのこの第１の角度位置はまた、図６ａに概略的に示されており、これは、案内要素５９以外の保持コンポーネント２７ａのいかなる部分も示さない。さらに図５及び図６ａに示すように、外側切断部材２１ａの周方向フランジ３３と、支持部材２５ａの受容部材４５の内壁に設けられた環状内部リム７３との間に距離Ｄが存在する。当業者にとって、前記距離Ｄは、シェービングユニット１１がテーブル上面６５に接触して保持されない場合に、フランジ３３を前記距離Ｄにわたって保持コンポーネント２７ａの当接面６９と受容部材４５の前記内部リム７３との間で回転軸４１に平行に移動可能にすることは明らかである。
【００４０】
保持コンポーネント２７ａを支持部材２５ａに結合し、最終的に毛切断ユニット７ａの組み立て状態を実現するために、ユーザは、図６ａに概略的に示す第１の予め規定された角度位置から図６ｃに概略的に示す第２の予め規定された角度位置へ図６ｂに示す第１の角度位置と第２の角度位置との間の中間角度位置を経由して、回転軸４１回りに支持部材２５ａに対して保持コンポーネント２７ａを手動で回転させなければならない。この目的のために、保持コンポーネント２７ａのベース部５１は、回転軸４１に関して２つの径方向に対向する位置に配置された２つの摘み部（finger-grip  portions）７５（図４、図５）を有する。保持コンポーネント２７ａが第１の角度位置から第２の角度位置へ回転する間、支持部材２５ａはテーブル上面６５に接触して保持され、一方、第１の案内部材５３の２つの当接要素５７は、第１の角度位置と第２の角度位置との間の支持部材２５ａに対する回転軸周りの保持コンポーネント２７ａの任意の角度位置において、第２の案内部材５５の２つの案内要素５９と係合する。図６ａに示す第１の角度位置から図６ｂに示す中間角度位置への保持コンポーネント２７ａの回転中の当接要素５７と案内要素５９の第１の斜め案内面６１との係合によって、保持コンポーネント２７ａは、保持コンポーネント２７ａが外側切断部材２１ａの周方向フランジ３３が支持部材２５ａの内部リム７３に当接する図６ｂに示す軸方向保持位置に到達するまで、回転軸４１に平行な軸方向に支持部材２５ａの皮膚接触面４３に向かって支持部材２５ａに対して変位する。保持コンポーネント２７ａを前記軸方向保持位置にロックするために、ユーザは、保持コンポーネント２７ａを図６ｂに示す中間角度位置から図６ｃに示す第２の角度位置にさらに回転させなければならない。この回転の間に、当接要素５７は、案内要素５９の第２の案内面６３と係合し、毛切断ユニット７ａの組み立てられた状態を確立する。前記のさらなる回転の間、当接要素５７は、各々、保持コンポーネント２７ａのベース部５１上に一体に形成され、それぞれの第２の案内面６３に隣接して配置された弾性変形可能ロック要素７７を通過する。１つのロック要素７７のみが図４に見えるが、ロック要素７７は図６ａ〜６ｃに概略的に示されている。ロック要素７７は、保持コンポーネント２７ａに回転力が作用しないときに、保持コンポーネント２７ａが第２の角度位置から外れて回転することを防止する。
【００４１】
図６ｃに概略的に示した保持コンポーネント２７ａの軸方向保持位置及び毛切断ユニット７ａの組み立て状態では、外側切断部材２１ａの周方向フランジ３３は、保持コンポーネント２７ａの３つの当接面６９と支持部材２５ａの内部リム７３との間で回転軸４１に平行な軸方向に保持される。この組み立てられた状態では、したがって、周方向フランジ３３は、外側切断部材２１ａの保持される要素を構成し、３つの当接面６９は、保持コンポーネント２７ａに設けられた前記保持される要素のための第１の保持部材を構成し、内部リム７３は、したがって、支持部材２５ａに設けられた保持される要素のための第２の保持部材を構成する。図３に示す支持部材２５ａの実施形態では、内部リム７３は、各々、内部リム７３のわずかに突出する部分の形態で受容部材４５の内壁に設けられた２つの支持要素７９を有する。図３には、２つの支持要素７９のうちの１つのみが見える。他の支持要素は、回転軸４１に関して径方向に対向する位置にある。支持要素７９はそれぞれ、軸方向に見て２つの当接要素５７のそれぞれの１つに隣接して配置される。したがって、毛切断ユニット７ａの組み立てられた状態では、外側切断部材２１ａの周方向フランジ３３は、特に、第２の保持部材の２つの支持要素７９によって支持される。内部リム７３に対する２つの支持要素７９のわずかに突出する位置は、保持コンポーネント２７ａと共に、２つの支持要素７９の位置によって規定される二次ピボット軸８１周りに、外側切断部材２１ａが支持部材２５ａに対して枢動することを可能にする。
【００４２】
らに、保持コンポーネント２７ａの軸方向保持位置及び毛切断ユニット７ａの組み立てられた状態において、内側切断部材２３ａは、図４に示すように保持コンポーネント２７ａのベース部５１に設けられた内部環状フランジ８３によって、回転軸４１に平行な方向のいくらかのあそびを伴って外側切断部材２１ａの所定位置に保持される。次に、シェービングユニット１１がシェービングヘッド５のベース構造９に結合されると、内側切断部材２３ａの毛切断要素３５が、駆動スピンドル１５ａによって、外側切断部材２１ａの環状シェービングトラックと動作可能に接触するように付勢される。
【００４３】
前に詳述したように、図６ａに示す第１の角度位置から図６ｂに示す中間角度位置への保持コンポーネント２７ａの回転及び支持部材２５ａに対する保持コンポーネント２７ａの軸方向におけるその軸方向保持位置への関連する変位の間に、外側切断部材２１ａは、保持コンポーネント２７ａによって軸方向に図６ａに示すその初期の完全に引っ込んだ位置から図６ｂ及び図６ｃに示すその動作位置に変位させられ、外側切断部材２１ａのシェービング面２９は、図６ｂ及び図６ｃに示すように、支持部材２５ａの皮膚接触面４３に対して軸方向に露出距離Ｅにわたって突出する。図６ｂ及び図６ｃは、皮膚接触面４３に対して平行な向きにあるシェービング面２９を示す。外側切断部材２１ａが支持部材２５ａに対して二次枢動軸８１周りに枢動されているシェービング面２９の向きにおいて、露出距離Ｅは、皮膚接触面４３に対するシェービング面２９の平均露出距離であることは明らかであろう。図６ａに示すように、保持コンポーネント２７ａの第１の角度位置で支持部材２５ａの皮膚接触面４３に対する外側切断部材２１ａの初期の完全な引っ込んだ位置を可能にするために、外側切断部材２１ａの保持される要素（すなわち、周方向フランジ３３）が、本明細書で説明した保持コンポーネント２７ａの第１の角度位置で第１の保持部材（すなわち、当接面６９）と第２の保持部材（すなわち、支持要素７９）との間で軸方向に移動可能である図６ａの距離Ｄは、少なくとも露出距離Ｅと等しくなければならないことは明らかである。
【００４４】
図６ａに概略的に示すように、図示の実施形態では、第２の案内部材５５の案内要素５９の第１の案内面６１は、回転軸４１に関する接線方向に対して傾斜角αを有し、第１の案内面６１は、回転軸４１に関する接線断面で見て平らである。さらに図６ｂに概略的に示すように、第１の案内面６１及び第２の案内面６３は、接線方向に等距離Ｔ１、Ｔ２にわたって延び、これは、第１の案内面６１が、保持コンポーネント２７ａの第１と第２の予め規定された角度位置間の角度距離の約５０％である回転軸４１周りの角度距離にわたって延びることを意味する。前述の距離Ｄは、主として前記傾斜角αと前記距離Ｔ１によって決まることは当業者にとって明らかである。また、当業者にとって、第１の案内面６１は、接線断面で見て、平らである必要がないことは明らかであろう。第１の案内面６１は、この断面で湾曲してもよい。保持コンポーネント２７ａを第１の角度位置から第２の角度位置に回転させ、毛切断ユニット７ａの組み立てられた状態を確立するために、ユーザが保持コンポーネント２７ａに回転軸４１周りに加える必要があるトルクを制限するために、第１の案内面６１が、保持コンポーネント２７ａの第１の予め規定された角度位置と第２の予め規定された角度位置との間の前記角度距離の少なくとも１５％である回転軸４１周りの角度距離にわたって延びることが好ましい。図４に示す保持コンポーネント２７ａの実施形態では、第１の案内面６１は、第１の予め規定された角度位置と第２の予め規定された角度位置との間の前記角度距離の１５％から５０％の間である回転軸４１周りの角度距離にわたって延びる。
【００４５】
図３にさらに示されるように、当接要素５７は、各々、組み立てられた状態で、第２の案内部材５５の第１の案内面６１と協働するために、接線方向に対して斜めに延びる追加の案内面８５を有し得る。この目的のために、追加の案内面８５は、第１の案内面６１のような接線方向に対する同様の傾斜角αを有し得る。追加の案内面８５は、支持部材２５ａに対する保持コンポーネント２７ａの第１の角度位置における、当接要素５７及び第１の案内面６１の初期係合を容易にする。追加の案内面８５はまた、図５に概略的に示されているが、図６ａ〜６ｃには示されていない。
【００４６】
さらに、前述のように、保持コンポーネント２７ａの第１の予め規定された角度位置における距離Ｄを確立し、かつ、前述のように、保持コンポーネント２７ａの第２の予め規定された角度位置における毛切断ユニット７ａの組み立てられた状態を確立するために、保持コンポーネント２７ａを支持部材２５ａに結合するための結合構造の第１及び第２の案内部材は、前述のように、第１及び第２の案内部材５３、５５とは異なる形態に構成され得ることは、当業者にとって明らかである。例えば、傾斜した第１の案内面６１を有する案内要素５９は、支持部材２５ａの受容部材４５の内壁に配置されてもよく、当接要素５７は、保持コンポーネント２７ａのベース部５１の周壁に配置されてもよい。この例では、保持コンポーネント２７ａ上の当接要素５７は、支持部材２５ａ上の傾斜した第１の案内面と協働するための追加の案内面８５に類似した追加の案内面を備え得る。
【００４７】
最後に、当業者にとって、外側切断部材２１ａの保持される要素は、周方向フランジ３３とは異なる形で実施されてもよく、保持コンポーネント２７ａの第１の保持部材と支持部材２５ａの第２の保持部材との間で保持されるために任意の適切な方法で実施されてもよいことは明らかであろう。同様に、第１の保持部材及び第２の保持部材は、それぞれ、当接面６９及び支持要素７９とは異なって実施されてもよく、また、外側切断部材２１ａの保持される要素を毛切断ユニット７ａの組み立てられた状態に保持するために、任意の好適な方法で実施されてもよいことは明らかである。
【００４８】
本発明は、前述の説明及び図面において詳細に説明及び図示されてきたが、このような説明及び図示は、例示的及び／又は説明的なものとみなされるべきであり、限定的な意味ではない。本発明は、開示された実施形態に限定されない。
【００４９】
開示された実施形態に対する他の変形例は、図面、開示、及び添付の特許請求の範囲の研究から、当業者が請求項に記載された発明を実施する際に理解し、実施することができる。請求項において、語「有する、含む」は、他の要素又はステップを除外せず、不定冠詞“ａ”又は“ａｎ”は、複数を除外しない。明細書を明確かつ簡潔にするために、特徴は、同一の実施形態の一部として又は別個の実施形態の一部として本明細書に開示されるが、本発明の範囲は、開示された特徴のすべて又は一部の組み合わせを有する実施形態を含み得ることが理解されるであろう。特定の手段が相互に異なる従属請求項に記載されているという単なる事実は、これらの手段の組み合わせが有利に利用できないことを示すものではない。
【図１】
2021504072.tif 000003
【図２】
2021504072.tif 000004
【図３】
2021504072.tif 000005
【図４】
2021504072.tif 000006
【図５】
2021504072.tif 000007
【図６ａ】
2021504072.tif 000008
【図６ｂ】
2021504072.tif 000009
【図６ｃ】
2021504072.tif 000010
【国際調査報告】
2021504072.tif 000011
2021504072.tif 000012
2021504072.tif 000013